(57)【特許請求の範囲】
【請求項１】
フィードローラにより送られた複数の用紙をストック用のトレイに下方から上方に順番に重なるように導く紙排出装置であって、
前記複数の用紙が前記フィードローラから前記トレイに導かれる経路に沿って、前記フィードローラの側から、前記フィードローラから出力された用紙の上面側をガイドする第１の紙ガイドと、前記用紙の下面側から前記用紙の排出方向が上方になるようにガイドする第２の紙ガイドと、前記用紙の上面側から前記用紙の排出方向が下方になるようにガイドする第３の紙ガイドとがこの順番に配置され、前記フィードローラから出力された先の用紙の末端部分が前記第１の紙ガイド、前記第２の紙ガイドおよび前記第３の紙ガイドにより上側に凸になるように湾曲状に支持され、前記先の用紙の後端が前記第１の紙ガイドより下側に向き、前記フィードローラから出力される次の用紙の先端は前記先の用紙の後端の上側に排紙され、前記先の用紙の末端部分は前記次の用紙により前記トレイに排出される紙排出装置。
【請求項２】
フィードローラと、このフィードローラにより送られた印刷後の複数の用紙を収納するストック用のトレイとを有するプリンタであって、
前記印刷後の複数の用紙が前記フィードローラから前記トレイに導かれる経路に沿って、前記フィードローラの側から、前記フィードローラから出力された用紙の上面側をガイドする第１の紙ガイドと、前記用紙の下面側から前記用紙の排出方向が上方になるようにガイドする第２の紙ガイドと、前記用紙の上面側から前記用紙の排出方向が下方になるようにガイドする第３の紙ガイドとがこの順番に配置され、前記フィードローラから出力された先の用紙の末端部分が前記第１の紙ガイド、前記第２の紙ガイドおよび前記第３の紙ガイドにより上側に凸になるように湾曲状に支持され、前記先の用紙の後端が前記第１の紙ガイドより下側に向き、前記フィードローラから出力される次の用紙の先端は前記先の用紙の後端の上側に排紙され、前記先の用紙の末端部分は前記次の用紙により前記トレイに排出されるプリンタ。
【請求項３】
請求項２において、前記フィードローラは、サーマルヘッドとの間で用紙を挟んで印刷し、印刷された用紙を前記ストック用のトレイに排出するプラテンローラであるプリンタ。
【請求項４】
請求項３において、前記第１の紙ガイドは、前記サーマルヘッドの一部であるプリンタ。
【請求項５】
請求項２ないし４のいずれかにおいて、前記第３の紙ガイドは、前記トレイの上に配置された透明なガイドであるプリンタ。
【請求項６】
請求項２ないし５のいずれかにおいて、前記トレイを鉛直方向に傾けて設置可能なプリンタ。
【請求項７】
請求項６において、該プリンタを自立可能なスタンドおよび／または所定の機器に着脱可能なフックを有するプリンタ。
【発明の詳細な説明】
【０００１】
【発明の属する技術分野】
本発明はプリンタの紙排出装置に関するものである。
【０００２】
【従来の技術】
プリンタの多くは、印刷済の用紙をストッカー（排紙用のトレイ）に順番に重ねて排出するために、トレイの近傍まで用紙を導く排紙用のフィードローラを備えている。したがって、トレイには印刷された用紙が、ユーザが希望する順番に重なって貯えられる。
【０００３】
【発明が解決しようとする課題】
プリンタをよりコンパクトで低コストにすることを考えると、部品点数を減らすこと、特に排紙用のフィードローラの数を減らすことが非常に有効である。しかしながら、排紙用のフィードローラの数を単純に減らすと印刷済の用紙をトレイに重ねて排出する際に問題が発生する可能性が高い。すなわち、排紙用のフィードローラを減らすと、用紙がトレイに完全に排出されず、その用紙の末端部分はトレイとプラテンローラの間に残り、その末端部分の姿勢が不安定になる。たとえば、用紙の上に順番に重ねて排出するのであれば、用紙を水平方向に排出する限りは用紙の自重によって印刷済の用紙が自然と上に重ねられて排紙されるかもしれない。しかしながら、用紙を斜め上方に排出する場合は、前の用紙の末端部分の姿勢が不安定なために次の用紙が前の用紙とトレイの間に潜り込んでしまう可能性が極めて高くなる。したがって、トレイとプラテンローラとの間に多少でも距離があれば、それらの間にフィードローラを設置しないとトレイに所望の順番で用紙を重ねて排出できないという問題がある。さらに、フィードローラを設けないと、プラテンローラの斜め上方のトレイまで用紙の末端を排紙できない。
【０００４】
そこで、本発明においては、印刷済の用紙を斜め上方向に排出する場合であっても、トレイとプラテンローラの間にフィードローラを設けることなく、ユーザが希望する順番でトレイ上に用紙を貯えることができ、さらに、用紙の末端をトレイまで確実に送り込める紙排出装置およびプリンタを提供することを目的としている。また、このようなプリンタをよりコンパクトかつ低コストで提供可能とすることも本発明の目的としている。
【０００５】
【課題を解決するための手段】
このため、フィードローラにより送られた用紙をストック用のトレイに下方から上方に順番に重なるように導く本発明の排出装置においては、フィードローラからトレイに導かれる経路に沿って、用紙の上面側をガイドする第１の紙ガイドと、用紙の下面側から用紙の排出方向が上方になるようにガイドする第２の紙ガイドと、用紙の上面側から用紙の排出方向を下方になるようにガイドする第３の紙ガイドとをこの順番に配置し、用紙の末端を三点で湾曲状に支持し、その末端の姿勢を安定させると共に、次に送られてくる用紙との摩擦力を利用して斜め上方にトレイがあってもそのトレイまで用紙の末端を搬送できるようにしている。
【０００６】
すなわち、本発明の紙排出装置は、フィードローラにより送られた用紙をストック用のトレイに下方から上方に順番に重なるように導く紙排出装置であって、この用紙がフィードローラからトレイに導かれる経路に沿って、フィードローラの側から、用紙の上面側をガイドする第１の紙ガイドと、用紙の下面側から該用紙の排出方向が上方になるようにガイドする第２の紙ガイドと、用紙の上面側から該用紙の排出方向が下方になるようにガイドする第３の紙ガイドとがこの順番に配置され、フィードローラから出力された先の用紙の末端部分が第１の紙ガイド、第２の紙ガイドおよび第３の紙ガイドにより上側に凸になるように湾曲状に支持され、先の用紙の後端が第１の紙ガイドより下側に向き、フィードローラから出力される次の用紙の先端は先の用紙の後端の上側に排紙され、先の用紙の末端部分は次の用紙によりトレイに排出される。
【０００７】
本発明の紙排出装置では、第１、第２および第３の紙ガイドによって、フィードローラによりトレイに排出された用紙の末端部分を上方に凸となるように湾曲させることができる。用紙の末端部分をこのように湾曲させると、用紙の後端は下方に向くので、フィードローラから送られてくる次の用紙は必ず前の用紙の上に重なる。また、次の用紙は第１、第２および第３の紙ガイドによって前の用紙と同じ形状で前の用紙の末端部分に密着する。このため、前の用紙は次の用紙との摩擦力によりトレイ側に押し出される。したがって、次の用紙がトレイ側に進むにつれて、前の用紙はトレイに完全に排出される。このとき、前の用紙のトレイ側の部分は第３の紙ガイドによって下に向けられているので、前の用紙はトレイに安定して排紙される。
【０００８】
このように本発明の紙排出装置によれば、第１、第２および第３の紙ガイドで用紙の末端部分を強制的に湾曲させることにより、用紙の末端部分を安定な姿勢に保って次の用紙を前の用紙の上に重ねることができると共に、紙送りされてくる次の用紙との摩擦力で前の用紙をトレイに排出できる。したがって、用紙を斜め上方向に排出する場合であっても、フィードローラとトレイとの間に特別な排紙用のローラを設置することなく、トレイ上にユーザが希望する順番で印刷済の用紙を貯えておくことが可能な紙排出装置を実現できる。
【０００９】
このため、フィードローラとこのフィードローラにより送られた印刷後の用紙を収納するストック用のトレイとを有するプリンタに対し、本発明を適用することにより、フィードローラとトレイとの間の経路に用紙をトレイまで排出するための排紙用ローラを用意する必要がなくなるので、用紙を斜め方向に排出する場合であっても、トレイに下方から上方に順番に用紙を重ねて保持できる、小さく低コストなプリンタを提供できる。
【００１０】
そして、サーマルヘッドとプラテンローラで印刷用紙を挟んで印刷し、印刷された用紙をストック用のトレイに排出する構成のプリンタにあっては、プラテンローラをフィードローラとすることが可能である。このようにすれば、プラテンローラにより、他の排出ローラを用いないで印刷した用紙をトレイに下方から上方に順番に重なるように排出することができる。このため、用紙を斜め上方あるいはほぼ鉛直方向に排出できるプリンタをよりコンパクトに纏めることができると共により低コストなものにできる。特に、サーマルヘッドとプラテンローラを有するプリンタは、インクなどの消耗品が不要で非常に薄くコンパクトにできるプリンタであり、本発明を採用することにより、斜め上方に排紙可能なタイプのプリンタをカードタイプとなるように薄くコンパクトに纏めることができる。これにより、縦置きやノートＰＣのディスプレイに引っ掛けて使用し、紙づまりや順番が入れ替わるなどの問題を発生させることなく、用紙を斜め上方に排出できる非常に薄いカードタイプのプリンタを実現できる。
【００１１】
このような本発明のプリンタにおいては、サーマルヘッドの一部を第１の紙ガイドとして機能させることが可能であり、このような第１の紙ガイドを採用すれば、別部材からなる第１の紙ガイドを用意する場合に比べて、プリンタをよりコンパクトで低コストなものにできる。また、第３の紙ガイドは、トレイ上に配置された用紙を下側に押さえる紙送り用のガイドにすることができる。このようなトレイ上に配置された紙送り用のガイドを第３の紙ガイドにする場合、透明なガイドにすることにより、印刷面が上面になって排紙されたときにその用紙の印刷状態を一目で確認することができる。
【００１２】
また、上述したように、本発明の紙排出装置が適用されたプリンタによれば、ユーザが希望する順番に重なるように印刷済の用紙を斜め上方に排出できるので、トレイを鉛直方向に向けて設置することが可能である。また、プリンタに自立可能なスタンドおよび／または所定の機器に着脱可能なフックを取り付けて、プリンタを縦置きやノートＰＣのディスプレイに引っ掛けた状態等、トレイが鉛直方向に傾いた状態でプリンタを実際に使用できる。
【００１３】
【発明の実施の形態】
以下に図面を参照して本発明の実施の形態を説明する。図１に、本発明に係るプリンタの概要を斜視図で示してあり、図２に、このプリンタの使用例を示してある。本例のプリンタ１は、Ａ６あるいはＡ７サイズ程度の厚みが１ｃｍ程度あるいはそれ以下の箱型のハウジング２を有しており、このハウジング２の両側面に取り付けられたフック２５を所定の機器に引っ掛けて使用できるようになっている。たとえば、図２に示すように、ノート型のパーソナルコンピュータ（ノートＰＣ）２７のディスプレイ２８のカバー２９にフック２５を引っ掛けて取り付け、プリンタ１のハウジング２を鉛直方向に傾けた状態で使用できる。そして、本例のプリンタ１では、ハウジング２の表側の部分が排紙された感熱紙（用紙）３をストックするトレイ（ストッカー）２１になっており、印刷された面３ｆが表側を向いて排出される。したがって、印刷済の感熱紙３はストッカー２１に垂直な方向ｄ１に順番に印刷された面３ｆが見えるように重なって導かれる。すなわち、図１に示すように、本例のプリンタ１においては、用紙をストック用のトレイに下方ｄ２から上方ｄ１に順番に重なるように導かれ、印刷された面３ｆが上方ｄ１を向いて積み重ねられる。
【００１４】
図３に本例のプリンタ１の概略構成を断面図を用いて示してある。本例のプリンタ１のハウジング２は斜め下方１ｂの印刷機構を収納した部分（印刷処理部２３）を除く部分が用紙収納部２２になっており、そこに複数枚の感熱紙３を収納することができる。そして、ハウジング２の斜め下方１ｂは感熱紙３を印刷すると共に印刷済の感熱紙３を斜め上方１ａに向けて排出する印刷処理部２３になっている。さらに、用紙収納部２２の上方ｄ１の面がストッカー２１になっており、このストッカー２１に印刷処理部２３から排出された感熱紙３が上方ｄ１に蓄積される。
【００１５】
印刷処理部２３にはラインサーマルヘッド４と、ラインサーマルヘッド４と感熱紙３を挟んで印刷すると共に紙送りするプラテンローラ（フィードローラ）５と、収納された複数の感熱紙３を一枚づつピックアップしてプラテンローラ５に給紙するピックアップローラ６が配置されている。本例のプリンタ１では、収納された複数の感熱紙３の先端部分を板バネ７によってピックアップローラ６に対して適当な力で加圧することにより、ピックアップローラ６で一枚づつ感熱紙３をピックアップできるようになっている。ピックアップローラ６によりピックアップされた感熱紙３は、紙ガイド９に沿って斜め下方１ｂに送られた後にプラテンローラ５に沿ってほぼ１８０度向きを変えてラインサーマルヘッド４に導かれる。ラインサーマルヘッド４は、プラテンローラ５に対し上方ｄ１に配置されており、感熱紙３はプラテンローラ５およびラインサーマルヘッド４によって挟まれてラインサーマルヘッド４で印刷され、さらに、プラテンローラ５により、その斜め上方１ａに設けられた排出口８からストッカー２１に排出される。
【００１６】
図４に印刷処理部２３を拡大して示してある。本例のプリンタ１のラインサーマルヘッド４は斜め上方１ａのストッカー２１の方向に、その隅１６が鼻のように突き出て配置され、感熱紙３の上方ｄ１の側（上面側、すなわち本例では表面）をガイドできるようになっている。さらに、プラテンローラ５からストッカー２１に向けて、感熱紙３の下方ｄ２の側（下面側、すなわち本例では裏面）から感熱紙３の排出方向が上方１ａになるようにガイドする紙ガイド１３、およびストッカー２１に入った感熱紙３の端部を上方ｄ１の側（上面側、すなわち本例では表面）から感熱紙３の排出方向が下方１ｂとなるようにガイドする透明なパネル１４がこの順番で配置されている。このため、プラテンローラ５の側からストッカー２１の方向に、ラインサーマルヘッド４のストッカー側の一部（鼻部）１６、紙ガイド１３およびパネル１４がこの順番で配置され、これらによって紙排出装置１８が構成されている。
【００１７】
すなわち、本例のプリンタ１では、サーマルヘッド４の鼻部１６が第１の紙ガイドであり、感熱紙３の末端部分３ａの最もプラテンローラ５に近い部分３ｂを下方ｄ２に支持している。また、紙ガイド１３は第２の紙ガイドであり、斜め上方１ａに向けて上方ｄ１に凸となるように突き出た形状に傾斜し、感熱紙３の末端部分３ａの中ほど３ｃを裏面から上方ｄ１に支持している。さらに、パネル１４は第３の紙ガイドであり、排出口８の近傍において感熱紙３の末端部分３ａのストッカー２１の近傍３ｄを表面から下方ｄ２に支持している。したがって、プラテンローラ５およびラインサーマルヘッド４によって紙送りされる感熱紙３は、第１の紙ガイドである鼻部１６によって下方ｄ２に押された状態で、第２の紙ガイドである紙ガイド１３によって上方ｄ１に通路変更されながら排紙方向である斜め上方１ａに導かれる。そして、第３の紙ガイドであるパネル１４によって下方ｄ２に進路変更されながらさらに排紙方向１ａに導かれストッカー２１に送られる。
【００１８】
このため、本例のプリンタ１においては、鼻部１６、紙ガイド１３およびパネル１４によって、プラテンローラ５からストッカー２１に向けて「へ」字あるいは逆Ｕ字の形状、すなわち、上方ｄ１にほぼ凸となる湾曲状の紙排出通路（経路）１５が構成され、プラテンローラ５によって紙送りされた感熱紙３の末端部分３ａはそれに沿った形状になる。
【００１９】
このように用紙３の末端部分３ａが上方に凸の湾曲状となるため、まず、図４に示すように、鼻部１６に下方ｄ２に押さえられた末端部分３ａの最もプラテンローラ５の側の後端部分３ｂは、最も下方ｄ２の位置で安定し、用紙自体の強度、あるいは腰の強さなどによって、プラテンローラ５から用紙３が排出される位置よりも末端３ｂが下方ｄ２に下がった位置で安定する。したがって、図５に示すように、次の感熱紙３が送られると、その先端３ｅは必ず前の感熱紙３の後端部分３ｂの上方ｄ１の側に排出される。このため、感熱紙３は必ず上方ｄ１に順番に重なり、ストッカー２１では下方から上方に順番に積み重ねられる。
【００２０】
さらに、図６に示すように、次の感熱紙３がプラテンローラ５によりさらに紙送りされると、次の感熱紙３の先端部分も紙排出装置１８によって構成された紙排出通路１５により湾曲状になる。特に、鼻部１６、紙ガイド１３およびパネル１４により用紙３が下方ｄ２、上方ｄ１および下方ｄ２に押し付けられるポイントでは、通路１５に残っている前の感熱紙３の端部３ａに、次の用紙が押し付けられる。さらに、これら鼻部１６、紙ガイド１３およびパネル１４は用紙３を上面、下面および上面から交互にガイドするので、用紙自体の強度あるいは腰の強さなどにより鼻部１６、紙ガイド１３およびパネル１４から用紙が離れることはなく、前の感熱紙３と次の感熱紙３はこれらのポイントで密着する。したがって、これらの用紙間で発生する摩擦力により、プラテンローラ５が次の感熱紙３を紙送りする力が前の感熱紙３に伝達される。
【００２１】
その結果、前の感熱紙３は次の感熱紙３が紙送りされるにつれてストッカー２１の方向に紙送りされ、図７に示すように、前の感熱紙３の末端部分３ａはストッカー２１まで紙送りされる。そして、ストッカー２１にその末端部分３ａが収まると、次の感熱紙３から解放される。
【００２２】
このようにして、プラテンローラ５により紙送りされる次の感熱紙３は紙排出装置１８によって構成された紙排出通路１５を送られることにより、前の感熱紙３に対し上方ｄ１に確実に重ねられ、その一方で、前の感熱紙３は次の感熱紙３によりストッカー２１まで確実に紙送りされる。したがって、印刷枚数が複数に及ぶとこのようなプロセスが繰り返される。
【００２３】
このように、本例のプリンタ１では、感熱紙３を鉛直方向に排紙するようになっているにも関わらず、プラテンローラ５のみでストッカー２１に最新の印刷済の感熱紙３を末端まで確実に排出でき、さらに、排出された印刷済みの用紙３を下方ｄ２から上方ｄ１に確実に重ねることができる。このため、プラテンローラ５とストッカー２１の間の紙排出通路１５には感熱紙３を完全にストッカー２１に送るための特別なローラ、たとえば排紙ローラを設ける必要はない。したがって、本例のプリンタ１は、部品点数が少なく、非常にシンプルでコンパクト、さらには低コストになる。特に、本例のプリンタ１は、ラインサーマルヘッド４とプラテンローラ５を組み立てたプリンタなので、消耗品がなく、消耗品の収納スペースなどを省いてコンパクトになる。したがって、本例のプリンタ１は排紙用のローラなしで感熱紙３を斜め上方１ａに確実に送り、さらに、印刷済みの用紙を所定の方向（上方ｄ１）に確実に重ねて排出できる大変コンパクトなプリンタである。
【００２４】
また、本例のプリンタ１では、ラインサーマルヘッド４の一部である鼻部１６を第１の紙ガイドとして機能させているので、さらに部品点数を少なくでき、よりシンプルでコンパクトに纏めることができると共にコストも低く抑えることができる。さらに、上述のプリンタ１は、ラインサーマルヘッド４とプラテンローラ５を有する印刷処理部２３と用紙収納部２２が直線状に配置された薄いカードタイプのものである。そして、排紙用のローラが無くても確実に感熱紙３をストッカー２１に出力できるので、排紙方向が水平だけでなく鉛直方向でもフレキシブルに選択できる低コストのプリンタであると共に、図２に示したように、縦置きやノートＰＣ２７のディスプレイ２８のカバー２９に引っ掛けて使用できる非常に薄いカードタイプのプリンタとして提供できる。また、そのような使用方法において、印刷済の感熱紙３をストッカー２１に印刷された表面が上方ｄ１に確実に重なるように排出できる。このため、たとえば、ノートＰＣ２７に向かったユーザから見ているときに、印刷された面３ｆが、印刷された順番にユーザの方を向いて下から出力されるようにできる。したがって、本発明により、出力結果を確認し易いプリンタを提供できる。
【００２５】
なお、ノートＰＣ２７のディスプレイ２８のカバー２９に引っ掛けるタイプのプリンタを説明したが、ノートＰＣ２７に限らず、その他の機器に引っ掛けて使用することも可能であり、所定の機器にプリンタ１を着脱可能に設置することにより非常に使い勝手の良いプリンタを実現できる。また、フック２５を回転してプリンタ１を自立可能なスタンドとして利用することも可能であり、さらに、壁にかけてプリンタを使用するようにしても良い。
【００２６】
また、本例のプリンタ１では、感熱紙３の排出口８のパネル１４はストッカー２１の斜め下方１ｂをカバーしている。このため、パネル１４を透明な部材で形成することにより、印刷面３ｆが表側を向いて排紙されてきた感熱紙３の印刷状態（図１においては「ＸＹＺ」）を一目で確認することができる。
【００２７】
また、上記の例では、ラインサーマルヘッド４で感熱紙３に印刷を行うタイプのプリンタを説明したが、他のタイプのヘッドを使用したプリンタに対しても本発明を適用できる。その場合は、本例では、ラインサーマルヘッド４の一部分を第１の紙ガイド１６として利用しているが、別部材からなる第１の紙ガイド１６を設置することが望ましい。また、上記の例では、ストッカー２１と用紙収納部２２を同一方向に配置しているが、ストッカー２１と用紙収納部２２を印刷処理部２３を挟んで反対側になるように配置しても良い。このようなプリンタであれば、プリンタの前後方向のサイズは増すが、プリンタの厚みは非常に薄くできる。
【００２８】
また、上記の例では、ストッカー２１が斜めに傾いた状態でプリンタ１を使用しているが、このプリンタ１を水平方向にして使用することも可能である。さらに、プリンタの形態としては、ストッカーのみが単独で鉛直方向に傾くものであっても良く、このような形態のプリンタも本発明に含まれる。さらに、本例では紙排出装置１８を内蔵したプリンタ１を例に説明しているが、このような紙排出装置１８はプリンタに限らず、製本装置などの他の紙送りが必要な装置においても適用することができる。また、上記プリンタ１では、上方から印刷された用紙の表面が見えるように、印刷された表面が上方すなわち上面となって排出されるプリンタを例に本発明を説明しているが、逆に、印刷された表面が下方すなわち下面となって排出されるプリンタであっても良い。しかしながら、本例のプリンタ１においては、表面を上面として排出する経路を採用しているので、サーマルヘッドの一部を紙ガイドとして利用することが可能となっており、少ない部品点数で簡易な紙経路を構成することができる。
【００２９】
【発明の効果】
以上説明したように、本発明の紙排出装置では、第１、第２および第３の紙ガイドによって用紙の末端部分を紙を重ねる上方に向けて凸となるように湾曲させている。したがって、次に送られてきた用紙を湾曲された用紙に対して必ず上方に重ねることができると共に、前の用紙と次の用紙との間に発生する摩擦力を利用して前の用紙を完全にトレイに排出することができる。このため、本発明の紙排出装置によれば、用紙を斜め上方向に排出する場合であっても、フィードローラとトレイとの間に特別な排紙用のローラを配置することなく、トレイ上にユーザが希望する順番で印刷済の用紙を貯えておくことが可能で、さらに、用紙の末端を確実にトレイに送ることが可能な紙排出装置を実現できる。したがって、サーマルヘッドとプラテンローラで挟んで印刷すると共に、印刷された用紙をトレイに下方から上方に順番に重なるように排出するカードタイプのプリンタに本発明を適用することにより、縦置きやノートＰＣのディスプレイに引っ掛けて使用できるプリンタを実際に提供できる。
【図面の簡単な説明】
【図１】本発明に係るプリンタの外観を示す斜視図である。
【図２】本例のプリンタをノートＰＣに引っ掛けて使用する形態を示す図である。
【図３】本例のプリンタの概略構成を示す図である。
【図４】本例のプリンタの印刷処理部を拡大して示す図である。
【図５】本例のプリンタにおいて前の感熱紙に次の感熱紙が当たる様子を示す図である。
【図６】本例のプリンタにおいて前の感熱紙が次の感熱紙によってストッカーに運ばれる様子を示す図である。
【図７】本例のプリンタにおいて前の感熱紙が次の感熱紙によって完全にストッカーに排紙された様子を示す図である。
【符号の説明】
１    プリンタ
１ａ  斜め上方
２    ハウジング
３    感熱紙
３ａ  末端部分
４    ラインサーマルヘッド
５    プラテンローラ
１３  紙ガイド（第２の紙ガイド）
１４  パネル（第３の紙ガイド）
１５  紙排出通路
１６  鼻部（第１の紙ガイド）
１８  紙排出装置
２１  ストッカー（トレイ）
２５  フック
２７  ノートＰＣ
ｄ１  上方
ｄ２  下方
【図１】
0004347510.tif 000002
【図２】
0004347510.tif 000003
【図３】
0004347510.tif 000004
【図４】
0004347510.tif 000005
【図５】
0004347510.tif 000006
【図６】
0004347510.tif 000007
【図７】
0004347510.tif 000008